(57)【要約】【課題】表示部の保護パネルを音響振動板と兼用する薄型の携帯型電子機器を提供する。【解決手段】  表示部１２０を備えた上部筐体１０２と下部筐体１０１とがヒンジ等の旋回手段１０５で連結されており、上部筐体は、開口１０３を備えるとともに筐体内部には表示面を開口に向けて表示部が配置され、筐体の開口を覆うように周囲を筐体に重ねて表示部保護パネル１２１が固着されており、表示部保護パネルの筐体１０２に重なる面に少なくとも一つの凹部１２４Ａ，１２４Ｂが形成され、表示部保護パネルを加振するチップ状アクチュエータ１３０が凹部内に配設される。従って、アクチュエータの厚みが表示部保護パネルに設けられた凹部により吸収されるので、外観を損ねることもなく、また、筐体の内部のスペースも節約できるため、薄型の携帯型電子機器１００においても表示部保護パネル１２１を音響振動板として兼用することができる。【選択図】図１
2007208948.tif 000002
【特許請求の範囲】
【請求項１】
開口を備えた筐体と、該筐体内に配置された表示部と、前記筐体の開口を覆うように周囲を前記筐体に重ねて固着された表示部保護パネルと、を備えた携帯型電子機器において、前記表示部保護パネルの前記筐体に重ねられる面に少なくとも一つの凹部が形成され、該凹部内にアクチュエータが配設されたことを特徴とする携帯型電子機器。
【請求項２】
前記アクチュエータがチップ状アクチュエータであることを特徴とする請求項１記載の携帯型電子機器。
【請求項３】
前記筐体と前記表示部保護パネルとの重ねられる面のうちの少なくとも一方に、前記アクチュエータに接続する回路配線が形成されたことを特徴とする請求項１記載の携帯型電子機器。
【請求項４】
前記凹部が独立して複数形成されたことを特徴とする請求項１記載の携帯型電子機器。
【請求項５】
前記アクチュエータが前記開口の周囲に複数配設されたことを特徴とする請求項１記載の携帯型電子機器。
【請求項６】
前記複数のアクチュエータが互いに並列接続されたことを特徴とする請求項５記載の携帯型電子機器。
【請求項７】
筐体と重なる面にアクチュエータを配設するための少なくとも一つの凹部が形成されたことを特徴とする表示部保護パネル。
【請求項８】
前記アクチュエータと導電接続される回路配線を備えたことを特徴とする請求項７記載の表示部保護パネル。
【請求項９】
前記凹部に回路配線の一部が導入されたことを特徴とする請求項８記載の表示部保護パネル。
【請求項１０】
前記回路配線が複数のアクチュエータを並列接続するように構成されたことを特徴とする請求項８記載の表示部保護パネル。
【発明の詳細な説明】
【技術分野】
【０００１】  本発明は、ＬＣＤ（液晶ディスプレイ）、ＥＬ（エレクトロルミネッセンス）ディスプレイ等を表示部として備えた携帯電話、ＰＤＡ，モバイルパソコン等の携帯型電子機器及びこれらの携帯型電子機器に用いられる表示部保護パネルに関するものである。
【背景技術】
【０００２】  携帯型電子機器は、ＬＣＤ、ＥＬディスプレイ等の表示部の表示面に画像や文字情報を出力するとともに、マイクロホンやスピーカ等による音声情報の入力手段や出力手段を備えており、衣類のポケットやバッグ等に入れて携行され、利用されている。このため、携帯型電子機器は、操作部と表示部とを一つの筐体に配置した一体型、表示部と操作部とを別々の筐体に配置してこれらを折りたたみ式・スライド式・回転式等の種々の連結方式で連結する連結型とがあり、近年は、大きな表示部を備えるものが好まれることから、連結型が一般的となっている。上記連結型の携帯型電子機器においては、開口を備えた筐体と、筐体内に配置された表示部と、筐体の開口を覆うように周囲を前記筐体に重ねて固着された保護パネルとを備えるのが一般的である。上記保護パネルは、表示部の表示面の視認性を高めるために、透明の樹脂等から構成されており、両面接着テープや接着剤などを用いて筐体に固着されている。
近年、携帯型電子機器においては、携帯に便利な小型軽量化が求められる一方、大量の画像情報を表示させたり、視認性を向上させる目的で、大きな面積の表示面を有するものが好まれるようになっており、音声情報の出力手段としてのスピーカの設置スペースを削減することが検討されている。【０００３】  図１８に一例を示すように、操作部１１と送話部１２を有する下部筐体１と、表示部２０を有する上部筐体２とを連結手段３で連結するとともに、液晶表示部２０を保護する透明パネル２１と、この透明パネル２１直下の上部筐体２内部に透明パネル２１を加振する放音駆動手段（ドライバ）２３を備え、透明パネル２１を加振させて透明パネル全体で放音する音響振動板として兼用するように構成した携帯型電話機が提案されている。
【特許文献１】特開２００５−１１７１１７号公報（図１）
【発明の開示】
【発明が解決しようとする課題】
【０００４】  しかしながら、上記のような背景技術では、筐体２の内部に放音駆動手段（ドライバ）を設けるために、筐体の厚み寸法を小さくすることできないので、この方式を薄型の携帯型電子機器に適用するのが難しいという課題があった。
また、透明パネル２１に振動を導くために、放音駆動手段２３と透明パネル２１との重なり部分に大きな面積を必要とするので、限られた筐体２の面積内に放音駆動手段２３を複数設けることが困難であり、透明パネル２１全体を任意に振動させることが難しいという課題があった。【０００５】    本発明は、以上の点に着目したもので、その目的は、薄型の筐体においても表示部の保護パネルを音響振動板として兼用することが可能な携帯型電子機器を提供することにある。
また、本発明は、上記の携帯型電子機器に好適な表示部保護パネルを提供することにある。
【課題を解決するための手段】
【０００６】  前記目的を達成するため、本発明は、
開口を備えた筐体と、該筐体内に配置された表示部と、前記筐体の開口を覆うように周囲を前記筐体に重ねて固着された表示部保護パネルと、を備えた携帯型電子機器において、前記表示部保護パネルの前記筐体に重ねられる面に少なくとも一つの凹部が形成され、該凹部内にアクチュエータが配設されたことを特徴とする。【０００７】  本発明の携帯型電子機器の主要な形態の一つは、前記アクチュエータがチップ状アクチュエータであることを特徴とする。【０００８】  また、主要な形態の一つは、前記筐体と前記表示部保護パネルとの重ねられる面のうちの少なくとも一方に、前記アクチュエータに接続する回路配線が形成されたことを特徴とする。【０００９】  また、主要な形態の一つは、前記凹部が独立して複数形成されたことを特徴とする。【００１０】  また、主要な形態の一つは、前記アクチュエータが前記開口の周囲に複数配設されたことを特徴とする。【００１１】  また、他の形態の一つは、前記複数のアクチュエータが互いに並列接続されたことを特徴とする。【００１２】  また、本発明の表示部保護パネルは、筐体と重なる面にアクチュエータを配設するための少なくとも一つの凹部が形成されたことを特徴とする。【００１３】  上記表示部保護パネルの主要な形態の一つは、前記アクチュエータと導電接続される回路配線を備えたことを特徴とする。【００１４】  また、他の形態の一つは、前記凹部に回路配線の一部が導入されたことを特徴とする。【００１５】  また、他の形態の一つは、前記回路配線が複数のアクチュエータを並列接続するように構成されたことを特徴とする。【００１６】  本発明の前記及び他の目的，特徴，利点は、以下の詳細な説明及び添付図面から明瞭になろう。
【発明の効果】
【００１７】  本発明は、開口を備えた筐体と、該筐体内に配置された表示部と、前記筐体の開口を覆うように周囲を前記筐体に重ねて固着された表示部保護パネルと、を備えた携帯型電子機器において、前記表示部保護パネルの前記筐体に重ねられる面に少なくとも一つの凹部が形成され、該凹部内にアクチュエータが配設されたこととした。
このため、筐体内部の厚み方向に特別な寸法を必要としないので、薄型の携帯型電子機器においても表示部保護パネルを音響振動板として兼用することができる。【００１８】  また、本発明の表示部保護パネルは、筐体と重なる面にアクチュエータを配設するための少なくとも一つの凹部が形成されたこととした。
このため、表示部保護パネルを音響振動板として兼用するために、携帯型電子機器の筐体に取り付ける際に、表示部保護パネルを加振するためのアクチュエータの位置ずれを防止することができる。
【発明を実施するための最良の形態】
【００１９】  本発明の携帯型電子機器の第１実施形態について、図１及び図２を参照して説明する。図１は、本実施形態の携帯型電子機器の全体を示す平面図であり、図２は前記携帯型電子機器の図１におけるＡ−Ａ線の表示部周辺の部分拡大端面図である。【００２０】  図１及び図２に示すように、操作部１１１と送話部１１２を備えた下部筐体１０１と、表示部１２０を備えた上部筐体１０２とが、ヒンジ等の連結手段１０５で連結されており、上部筐体１０２は、開口１０３を備えるとともに、該筐体内部には、図示省略した表示面を前記開口１０３に向けて表示部１２０が配置され、前記筐体１０２の開口１０３を覆うように周囲を前記筐体１０２に重ねて表示部保護パネル１２１が固着された携帯型電子機器１００であって、前記表示部保護パネル１２１の前記筐体１０２に重なる面に少なくとも一つの凹部１２４Ａ，１２４Ｂが形成され、該凹部１２４Ａ，１２４Ｂ内に前記表示部保護パネル１２１を加振するチップ状アクチュエータ１３０が配設されている。【００２１】  上記筐体としては、ＡＢＳその他の樹脂、アルミニウム合金・マグネシウム合金・チタン合金等の金属、もしくはこれらの複合材、積層材など、比較的比重の小さな材料が好ましく、種々の用途に応じて適宜選択することができ、上記筐体の壁の厚みは０．８〜２．０ｍｍ程度とすることができる。上記筐体の形成方法としては、金型を用いた一体成型もしくはプレス成型が一般的であるが、これに限らず切削加工等、公知の各種加工方法を選択または併用することができる。
上記開口としては、上記筐体を形成する際に同時に形成するのが一般的であるが、後加工により形成してもよい。
上記表示部としては、ＬＣＤ（液晶ディスプレイ）、ＥＬ（エレクトロルミネッセンス）ディスプレイ、その他各種薄型ディスプレイより選択することができる。
上記表示部保護パネルとしては、アクリル樹脂、ポリカーボネート樹脂、ガラス等の透明性に優れる素材より適宜選択でき、比重が比較的小さく強度に優れるものが好ましく、例えば対角線寸法２インチサイズのＬＣＤを表示部としたものにおいては、縦５．５ｍｍ、横４．５ｍｍ、厚み０．２〜１．０ｍｍ程度とすることができる。
上記凹部としては、外観上、表示部保護パネルの裏面側にアクチュエータが挿入可能な大きさの有底の穴や溝として形成するのが好ましく、例えばアクチュエータの長さ寸法、幅寸法にそれぞれ数十μｍ〜２００μｍ程度をプラスした値とすることができるが、これに限るものではなく、後述するように、種々の変更が可能である。
上記アクチュエータとしては、厚み寸法を小さくすることが可能な圧電型アクチュエータが好ましいが、これに限るものではなく、磁歪型のアクチュエータを用いることもできる。
上記アクチュエータの外観形状としては、占有スペースが小さく場所を選ばない点で、直方体の長軸方向の両端にそれぞれ端子電極を設けたチップ状アクチュエータが好ましく、前記チップ状アクチュエータのサイズは例えば３２１６（長さ３．２ｍｍ×幅１．６ｍｍ×高さ０．３〜１．６ｍｍ）サイズ、１６０８（長さ１．６ｍｍ×幅０．８ｍｍ×高さ０．３〜０．８ｍｍ）サイズとすることができるが、これに限定するものではなく、表示部の外周縁に沿って配置することが可能な長棒状、Ｌ字状、ロ字状等、種々の形状のチップ状アクチュエータを用いることもできる。
上記アクチュエータの個数は、１個でもよいが、パネル全体を振動させるために、表示部保護パネルの表示面の視認領域を間に挟むように複数設けることが好ましく、前記視認領域を挟んで一対、もしくは四隅に配置してもよく、また、前記視認領域を取り囲むように配置してもよい。
上記保護パネル１２１の正面側には、前記保護パネル１２１の厚み方向で前記凹部１３０と重なる領域に、印刷法もしくは接着シールの貼付により化粧プリント１２８を設けておくことが好ましく、これによれば、前記保護パネル１２１を透過する光が凹部で屈折・反射等して表示部の視認性を低下させてしまうのを防止することができる。
本発明によれば、表示部保護パネル１２１を加振するためのアクチュエータ１３０の厚みが前記表示部保護パネル１２１に設けられた凹部１２４Ａ，１２４Ｂにより吸収されるので、外観を損ねることもなく、また、筐体１０２の内部のスペースも節約できるため、薄型の携帯型電子機器１００においても表示部保護パネル１２１を音響振動板として兼用することができる。【００２２】  次に、本発明の携帯型電子機器の主要な実施形態について、図１〜図６を参照して説明する。図３は本実施形態の表示部保護パネルの一例を示す背面側の斜視図であり、図４は、前記表示部保護パネルにアクチュエータに接続する回路配線を形成した場合の背面側を示す平面図であり、図５は、本実施形態の表示部保護パネルの図４における一点鎖線で囲まれたＢの領域の部分拡大斜視図であり、図６は、図５に示す表示部保護パネルの凹部にチップ状アクチュエータを配置した状態を示す部分拡大斜視図である。【００２３】  図１及び図２に示されるように、前記筐体１０２には、内部に配置されたＬＣＤ（液晶ディスプレイ）からなる表示部１２０の表示面を外部から覗くことができるようにその壁を厚み方向に貫通する開口１０３が設けられており、該開口１０３の周囲の壁の厚みは他の部分より一段薄く形成されている。一方、表示部保護パネル１２１は、アクリル等の透明の樹脂等からなり、前記筐体１０２の開口１０３を覆うように、前記筐体１０２の開口１０３の周囲の厚みが薄く形成された部分に重ねられ、図示省略した両面接着テープや接着剤などにより相互に固着されている。【００２４】  次に、図３に示すように、前記表示部保護パネル１２１には、利用者が手で触れる表面側とは反対の背面側に、表示部１２０の視認領域の周りに、アクチュエータが埋まる大きさの有底の独立した２つの凹部１２４Ａ，１２４Ｂが予め形成されている。
上記のように、アクチュエータを配置する凹部を独立して複数形成しておくことにより、それぞれのアクチュエータの位置決めが可能であり、携帯型電子機器を大量生産する際に、音響特性のバラツキの発生を防止することができる。【００２５】  また、上記表示部保護パネル１２１の背面側には、図４に示すように、銀粉末等の導電性粒子を含有した導電性樹脂ペーストを用いて一対の入力端子１２５Ｃ，１２６Ｃがスクリーン印刷法などを用いて設けられ、一方の入力端子１２５Ｃから一方の凹部１２４Ａに向けて前記と同様に導電性樹脂ペーストを用いて回路配線１２５Ａが設けられ、その先端が図５に示すように前記凹部１２４Ａの内壁に沿って凹部１２４Ａ内に導入されている。また、他方の入力端子１２６Ｃから前記前記凹部１２４Ａに向けて回路配線１２６Ａが設けられ、その先端が前記と同様に前記凹部１２４Ａ内に導入されている。また、前記一方の入力端子１２５Ｃから他方の凹部１２４Ｂに向けて回路配線１２５Ｂが設けられ、その先端が前記と同様に凹部１２４Ｂ内に導入されるとともに、他方の入力端子１２６Ｃから前記凹部１２４Ｂに向けて回路配線１２６Ｂが設けられ、その先端が前記と同様に前記凹部１２４Ｂ内に導入されている。【００２６】  前記一方の凹部１２４Ａには、図６に示すように、前記凹部１２４Ａに導入された回路配線１２５Ａ，１２６Ａにそれぞれ端子電極が接するようにチップ状アクチュエータ１３０が挿入され、前記凹部１２４Ａの内壁と前記チップ状アクチュエータとの隙間に図示省略したエポキシ樹脂等の絶縁性接着剤が注入され、硬化されている。さらに、前記回路配線１２５Ａ、１２６Ａと前記チップ状アクチュエータ１３０のそれぞれの端子電極１３２，１３２とが図示省略した導電性ペーストにより導電接続されている。図示省略したが、前記他方の凹部１２４Ｂについても前記と同様にして、前記凹部１２４Ｂに導入された回路配線１２５Ｂ，１２６Ｂにそれぞれ端子電極が接するようにチップ状アクチュエータ１３０が挿入され、図示省略した絶縁性接着剤により前記凹部１２４Ｂに接着されるとともに、前記回路配線１２５Ｂ、１２６Ｂとそれぞれの端子電極とが図示省略した導電性ペーストにより導電接続されている。
また、上記保護パネル１２１の正面側には、図２に示すように、前記保護パネル１２１の厚み方向で前記凹部１３０と重なる領域に化粧プリント１２８が設けられている。
本実施形態においては、上記のように、アクチュエータが前記筐体１０２の開口１０３の周囲に複数配置されている。このため、表示部保護パネル１２１を全体にわたって加振することができる。
また、本実施形態の表示部保護パネル１２１には、アクチュエータ１３０と導電接続される回路配線を備えるので、前記チップ状アクチュエータ１３０を配置した前記表示部保護パネル１２１を、前記筐体１０２に取り付ける前に予め前記回路配線の一対の入力端子１２５Ｃ，１２６Ｃに予備試験的に駆動信号を印加してアクチュエータと回路配線とが正常に接続されていることを予めチェックすることができ、上記のようなアクチュエータと回路配線との接続の不良に起因する一旦筐体に固着した表示部保護パネルを付け直すという煩雑な修正工程を回避することができるとともに、該修正工程に伴う前記筐体１０３および／または表示部保護パネル１２１の外観不良の発生を防止することができる。
また、上記のように本実施形態の表示部保護パネル１２１では、前記凹部１２４Ａ，１２４Ｂに回路配線の一部が導入されているので、前記表示部保護パネル１２１を筐体１０２に取り付ける前に、凹部に配置されたチップ状アクチュエータの端子電極と前記回路配線との導電接続を容易かつ確実に行うことができる。【００２７】  上記表示部保護パネル１２１は、回路配線の一対の入力端子１２５Ｃ，１２６Ｃが図示省略した筐体内部の駆動回路に接続され、前記一対の入力端子１２５Ｃ，１２６Ｃに並列に接続された２つのチップ状アクチュエータ１３０，１３０の一対の端子電極に例えばＡＣ１２Ｖ等の駆動信号（駆動電圧）が印加される。また、上記駆動回路としては、駆動電圧増幅回路を備えることが好ましく、これによれば、小さなチップ状アクチュエータを用いた場合においても保護パネルを加振することができる。
本実施形態の携帯型電子機器においては、上記のように複数のアクチュエータが互いに並列接続されているので、複数のアクチュエータの駆動が容易であるとともに、使用中に携帯型電子機器に落下衝撃等が加わるなどにより、稀に前記複数のアクチュエータのうちの一部のアクチュエータが故障した場合であっても、残りの正常なチップ状アクチュエータで前記表示部保護パネルを加振することができ、音声出力が停止するという虞が低減される。
また、本実施形態の表示部保護パネル１２１は、前記回路配線が複数のアクチュエータを並列接続するように構成されているので、表示部のサイズに応じて最大必要数のアクチュエータを搭載できるように予め回路配線を並列接続して形成しておけば、前記複数のアクチュエータ搭載予定位置のうち、携帯型電子機器の客先用途に応じて配置するチップ状アクチュエータの数を必要な個数に調整して用いることができ、表示部保護パネルを共通部品として提供できるので、製造コストを低減することができる。【００２８】  次に本実施形態の携帯型電子機器１００の表示部保護パネル１２１を音響振動板として駆動するためのアクチュエータについて図７〜図１２を用いて説明する。【００２９】  図７は本実施形態に用いるチップ状アクチュエータ１３０を示す斜視図であり、図８は該チップ状アクチュエータの内部構造を示す分解斜視図である。図９は本実施形態に用いるチップ状アクチュエータの変形例の一例を示す一部の内部構造を透視した外観斜視図、図１０は変形例の他の例を示す外観斜視図、図１１は前記図１０に記載の変形例の内部構造を示す分解斜視図、図１２は変形例の他の例を示す外観斜視図である。チップ状アクチュエータ１３０は、例えばＰＺＴ等の圧電体セラミック材料粉末を用意し、それを有機バインダー、有機溶剤、可塑剤、分散剤などと混合し、スラリーを作成したのち、ドクターブレード法にて厚さ２０μｍのセラミックグリーンシートを作成する。次に、得られた圧電体材料を主成分とするセラミックグリーンシート１３１ａ〜１３１ｅ・・・のうち、一部のセラミックグリーンシート１３１ｂ〜１３１ｅ・・・のそれぞれ一方の主面にＡｇ−Ｐｄ電極材料ペーストをスクリーン印刷法により矩形の内部電極１３３ａ〜１３３ｄを印刷形成し、図８に示すように、これらを５０枚積層・圧着し、個々のチップ状アクチュエータ単位に切断し、焼成したのち、得られた積層チップ１３１の内部電極の端部が露出された端部に内部電極に接続する端子電極１３２，１３２を銀電極材料ペーストをディップ法により塗布し焼き付けして形成される。前記積層チップ１３１の一方の端部には前記内部電極１３３ａの端部と内部電極１３３ｃの端部とが露出され、該端部に形成された一方の端子電極１３２により相互に接続されている。また、前記積層チップ１３１の他方の端部には前記内部電極１３３ｂの端部と前記内部電極１３３ｄの端部とが露出され、該端部に形成された他方の端子電極１３２により相互に接続されている。【００３０】  前記内部電極１３３ａと前記内部電極１３３ｂとは圧電体層１３１ｂを挟んで対向しており、同様に  内部電極１３３ｂと内部電極１３３ｃとは圧電体層１３１ｃを挟んで対向しており、内部電極１３３ｃと内部電極１３３ｄとは圧電体層１３１ｄを挟んで対向している。次に、前記チップ状アクチュエータ１３０の前記端子電極１３２，１３２に電圧を印加することにより、前記内部電極１３３ａ〜１３３ｄ・・・を介して、該内部電極１３３ａ〜１３３ｄで挟まれた各圧電体層１３１ｂ〜１３１ｄはそれぞれ厚み方向に分極処理されており、前記端子電極１３２，１３２を介して駆動信号が印加された際に、面方向に膨張・収縮するように構成されてい��。【００３１】  これにより、前記チップ状アクチュエータ１３０の変位が図示省略した接着剤層を介して前記表示部保護パネル１２１に伝達され、前記表示保護パネル１２１が所定の駆動信号に従って音響振動板として加振され、所望の音声信号を出力することができる。【００３２】  上記実施形態においては、アクチュエータとしてチップ状アクチュエータ１３０が用いられている。これによれば、アクチュエータに駆動信号を伝達するための回路配線との電気的接続が容易であるとともに、占有面積が小さいことから、前記表示部保護パネル１２１を通して表示部１２０の表示面の視認性が向上し、例えばＴＶ映像なども良好に見ることができる。また、チップ状アクチュエータ１３０を用いることで、従来の慣性力を利用した羽型の加振手段を取り付ける場合に比べて、落下衝撃による信頼性が向上するので、特に携行して用いられる機会が比較的多い携帯型電子機器に好適である。また、チップ状アクチュエータ１３０は外観構造が簡素なため、筐体１０２に表示部保護パネル１２１を取り付ける際の工数が少なくてすみ、安価な携帯型電子機器を提供することができる。
尚、上記実施形態においては、チップ状アクチュエータ１３０の圧電横効果（３１方向）を使用するものであったが、本発明は、これに限定するものではなく、例えば、図９にチップ状アクチュエータの変形例の一例として示すように、積層数を増やして、圧電縦効果（３３方向）を使用するものでもよい。また、上記実施形態においては、チップ状アクチュエータ１３０の端面と接する側面及び上下面に回りこむように端子電極１３２、１３２を設けたが、本発明はこれに限定するものではなく、例えば、図９の変形例に示すように、内部電極の端部が露出する積層チップ１３１’の端面のみに端子電極１３２’、１３２’を形成したチップ状アクチュエータ１３０’であってもよい。
また、上記実施形態においては、内部電極の端部を積層チップ１３１の長手方向の端部に交互に引き出したが、本発明はこれに限定するものではなく、例えば、図１０および図１１に変形例の他の例として示すように、積層チップ１４１の長手方向の側面およびそれと接する上下面および端面に回りこむように端子電極１４２，１４２を設けたチップ状アクチュエータ１４０を用いてもよく、この場合には、前記凹部の長辺側から回路配線を導入する等により前記と同様に端子電極１４２，１４２と回路配線との接続を行うことができる。
前記チップ状アクチュエータ１４０は、図１１に示すように、内部電極１４３ａ〜１４３ｄ・・・の端部がそれぞれ積層チップ１４１の長辺側に交互に引き出されるように形成されており、また、前記チップ状アクチュエータ１３０’と同様に、図１２に変形例の他の例として示すように、内部電極の端部が露出する積層チップ１４１’の端面のみに端子電極１４２’、１４２’を形成したチップ状アクチュエータ１４０’であってもよい。【００３３】  次に、図１３及び図１４を参照して、本発明の携帯型電子機器の実施形態の変形例について説明する。図１３は本発明の携帯型電子機器の実施形態の変形例を示す図であり、図１３（Ｃ）は凹部の第１の変形例を示す表示部周辺の部分拡大端面図、図１３（Ｄ）は第２の変形例を示す表示部周辺の部分拡大端面図である。
上記実施形態においては、表示部保護パネルの背面側にアクチュエータが埋まる大きさの有底の穴を凹部として形成したが、本発明はこれに限定するものではなく、図１３（Ｃ）に示すように、表示部保護パネルの外周面の厚み方向の途中に段部を設けるように凹部２２４Ａ，２２４Ｂを形成してチップ状アクチュエータ２３０，２３０を配置してもよく、また、表示部保護パネルに該表示部保護パネルを厚み方向に貫通する貫通孔を設け、前記変形例と同様に前記貫通孔の内周面の厚み方向の途中に段部を設けるように凹部を形成してもよい。
さらに、図１３（Ｄ）に示すように、アクチュエータ３３０、３３０を配設する凹部を深さ方向で２つに分割して一方を表示部保護パネル３２１に凹部３２４Ａ，３２４Ｂとして形成するとともに、他方を筐体３０２の前記表示部保護パネル３２１と重なる面に凹部３０５Ａ，３０５Ｂとして形成する等、種々変更してもよい。
また、上記変形例の携帯型電子機器２００，３００においても、前記実施形態と同様に保護パネル２２１，３２１の正面側であって該保護パネル２２１，３２１の厚み方向で前記凹部２２４Ａ，２２４Ｂ，３２４Ａ，３２４Ｂと重なる領域に化粧プリント２２８，３２８を設けておくことが好ましい。【００３４】  次に、図１４を用いて、本発明の携帯型電子機器の第１の実施形態の回路配線の変形例について説明する。
図１４は、本発明の実施形態の表示部保護パネルの変形例を示す背面側の平面図である。上記第１の実施形態においては、表示部保護パネルを加振するためのアクチュエータとして２つのチップ状アクチュエータを用いたが、本発明はこれに限定するものではなく、必要に  応じてアクチュエータの個数を増減してもよく、例えば図１４に示すように、表示部保護パネル４２１には、４つのチップ状アクチュエータを配設することができるように、４つの凹部４２４Ａ〜４２４Ｄが形成されており、一対の入力端子４２５Ｅ，４２６Ｅのうち一方の入力端子４２５Ｅに接続された回路配線４２５Ａ〜４２５Ｄの端部が前記それぞれの凹部４２４Ａ〜４２４Ｄに導入され、他方の入力端子４２６Ｅに接続された回路配線４２６Ａ〜４２６Ｄの端部が前記それぞれの凹部４２４Ａ〜４２４Ｄに導入され、前記それぞれの凹部４２４Ａ〜４２４Ｄに配置されたチップ状アクチュエータ（図示省略）と導電接続される。このとき４つのチップ状アクチュエータは、前記一対の入力端子４２５Ｅ，４２６Ｅにそれぞれ並列接続される。【００３５】  次に、図１５および図１６を用いて、本発明の携帯型電子機器の第２の実施形態について説明する。図１５は本発明の携帯型電子機器の第２の実施形態を説明する図であり、図１５（Ａ）は本変形例の筐体５０２の平面図であり、図１５（Ｂ）はこれに固着される表示部保護パネル５２１を示す平面図、図１６は前記筐体５０２に前記表示部保護パネル５２１を固着した状態を示す平面図である。
上記第１の実施形態においては、筐体１０２と前記表示部保護パネル１２１とが重なる面のうち、表示部保護パネル１２１の裏面側に回路配線１２５Ａ〜１２５Ｃ，１２６Ａ〜１２６Ｃを形成したが、本発明はこれに限定するものではなく、前記筐体と前記表示部保護パネルとの重ねられる面のうちの少なくとも一方に前記アクチュエータに接続する回路配線が形成されていればよく、第２の実施形態に示すように、筐体５０２に回路配線を形成してもよい。【００３６】  このとき、筐体５０２は、内部に配置されたＬＣＤ（液晶ディスプレイ）からなる表示部５２０の表示面を外部から覗くことができるようにその壁を厚み方向に貫通する開口５０３が設けられており、該開口５０３の周囲の壁の厚みは他の部分より一段薄く形成されており、この厚みの薄い部分に前記筐体５０２の内部の図示省略した駆動回路に接続されるように一対の入力端子５２５Ｃ，５２６Ｃが設けられるとともに、一方の入力端子５２５Ｃに接続するように回路配線５２５Ａ，５２５Ｂが、また、他方の入力端子５２６Ｃに接続するように回路配線５２６Ａ，５２６Ｂが、それぞれ図示省略したフレキシブルプリント配線として両面接着テープにより固着されており、前記各回路配線５２５Ａ，５２５Ｂ，５２６Ａ，５２６Ｂのそれぞれ先端部は、チップ状アクチュエータ５３０，５３０の端子電極と導電接続できるように表面の絶縁被覆が除去されている。一方、図１５（Ｂ）に示すように、表示部保護パネル５２１は、アクリル等の透明の樹脂等からなり、前記筐体５０２に重なる面に少なくとも一つの凹部５２４Ａ，５２４Ｂが形成され、該凹部５２４Ａ，５２４Ｂ内に前記表示部保護パネル５２１を加振するチップ状アクチュエータ５３０がそれぞれ配設されている。【００３７】  このように構成されているため、図１６に示すように、上記の如く構成された筐体５０２の開口５０３を覆うように、前記表示部保護パネル５２１が、前記筐体５０２の開口５０３の周囲の厚みが薄く形成された部分に重ねられ、図示省略した両面接着テープや接着剤などにより相互に固着され、前記凹部５２４Ａ，５２４Ｂに  配設されたチップ状アクチュエータ５３０の端子電極がそれぞれ前記回路配線５２５Ａ，５２５Ｂ，５２６Ａ，５２６Ｂのそれぞれ先端部と導電接続される。
本発明の実施形態によれば、前記筐体と前記表示部保護パネルとが重なる面のうち、少なくとも一方の面に前記アクチュエータに接続する回路配線が形成されている構成とした。このため、前記回路配線が前記筐体と前記表示部保護パネルの間に収容されて固定されているため、前記アクチュエータで前記表示部保護パネルを加振した際に、ビビリ音等の発生を防止することができる。【００３８】  次に本発明の携帯型電子機器の実施形態のチップ状アクチュエータの配置の変形例について図１７を用いて説明する。
図１７は本実施形態のアクチュエータの配置の変形例を示す図であり、図１７（Ａ）〜図１７（Ｅ）はそれぞれアクチュエータの配置の変形例を示す平面図である。
上記実施形態においては、直方体のチップ状アクチュエータを用いたが、本発明はこれに限定するものではなく、以下に示すように、種々の変形が可能である。
まず、図１７（Ａ）に示すように、筐体６０２Ａの表示部６２０Ａを覆うように固着される表示部保護パネル６２１Ａの前記筐体６０２Ａと重なる面に、前記表示部６２０Ａの一方の短辺に沿って図示省略した溝状の凹部が形成され、該凹部に前記表示部保護パネル６２１Ａを加振する長棒状のチップ状アクチュエータ６３０Ａが配設されており、図示省略した回路配線により筐体６０２Ａの内部の駆動回路に接続されている。
また、図１７（Ｂ）に示すように、筐体６０２Ｂの表示部６２０Ｂを覆うように固着される表示部保護パネル６２１Ｂの前記筐体６０２Ｂと重なる面に、前記表示部６２０Ｂの一対の短辺に沿って図示省略した溝状の凹部がそれぞれ形成され、該凹部に前記表示部保護パネル６２１Ｂを加振する長棒状のチップ状アクチュエータ６３０Ｂがそれぞれ配設されており、図示省略した回路配線により筐体６０２Ｂの内部の駆動回路に接続されている。
また、図１７（Ｃ）に示すように、筐体６０２Ｃの表示部６２０Ｃを覆うように固着される表示部保護パネル６２１Ｃの前記筐体６０２Ｃと重なる面に、前記表示部６２０Ｃの一対の長辺に沿って図示省略した溝状の凹部がそれぞれ形成され、該凹部に前記表示部保護パネル６２１Ｃを加振する長棒状のチップ状アクチュエータ６３０Ｃがそれぞれ配設されており、図示省略した回路配線により筐体６０２Ｃの内部の駆動回路に接続されている。
また、図１７（Ｄ）に示すように、筐体６０２Ｄの表示部６２０Ｄを覆うように固着される表示部保護パネル６２１Ｄの前記筐体６０２Ｄと重なる面に、前記表示部６２０Ｄの四角を囲むように四角に沿って図示省略したＬ字状の凹部がそれぞれ形成され、該凹部内に前記表示部保護パネル６２１Ｄを加振するＬ字状のチップ状アクチュエータ６３０Ｄがそれぞれ配設されており、図示省略した回路配線により筐体６０２Ｄの内部の駆動回路に接続されている。
また、図１７（Ｅ）に示すように、筐体６０２Ｅの表示部６２０Ｅを覆うように固着される表示部保護パネル６２１Ｅの前記筐体６０２Ｅと重なる面に、前記表示部６２０Ｅの外周をとり囲むように外周に沿って図示省略したロ字状の凹部が形成され、該凹部内に前記表示部保護パネル６２１Ｅを加振するロ字状のチップ状アクチュエータ６３０Ｅが配設されており、図示省略した回路配線により筐体６０２Ｄの内部の駆動回路に接続されている。
なお、上記実施形態においては、表示部としてＬＣＤ（液晶ディスプレイ）を用いた例を示したが、本発明はこれに限定するものではなく、ＥＬ（エレクトロルミネッセンス）ディスプレイその他、各種のフラットディスプレイを用いる携帯型電子機器に適用することができる。
【産業上の利用可能性】
【００３９】  本発明によれば、薄型の携帯型電子機器に好適である。【００４０】
【図面の簡単な説明】
【００４１】
【図１】本発明の携帯型電子機器の第１の実施形態の外観を示す平面図である。
【図２】前記実施形態の図１のＡ−Ａ線における部分拡大端面図である。
【図３】前記第１の実施形態の携帯型電子機器の表示部保護パネルの外観を示す斜視図である。
【図４】前記第１の実施形態の表示部保護パネルの外観を示す平面図である。
【図５】前記図４に示す表示部保護パネルの要部拡大斜視図である。
【図６】前記図４に示す表示部保護パネルの要部拡大斜視図である。
【図７】前記第１の実施形態の携帯型電子機器に用いるチップ状アクチュエータの一例を示す外観斜視図である。
【図８】前記図７に示すチップ状アクチュエータの内部構造を説明するための分解斜視図である。
【図９】前記実施形態の携帯型電子機器に用いるチップ状アクチュエータの変形例の一例を示す一部の内部構造を透視した外観斜視図である。
【図１０】前記実施形態の携帯型電子機器に用いるチップ状アクチュエータの変形例の他の例を示す外観斜視図である。
【図１１】前記図１０に示す変形例のチップ状アクチュエータの内部構造を説明するための分解斜視図である。
【図１２】前記実施形態の携帯型電子機器に用いるチップ状アクチュエータの変形例の他の例を示す外観斜視図である。
【図１３】本発明の携帯型電子機器の第１の実施形態の変形例を示す部分拡大端面図である。
【図１４】前記第１の実施形態の携帯型電子機器の表示部保護パネルの変形例の外観を示す平面図である。
【図１５】本発明の携帯型電子機器の第２の実施形態の内部構造を説明するための平面図である。
【図１６】本発明の携帯型電子機器の第２の実施形態の外観を説明するための平面図である。
【図１７】本発明の携帯型電子機器の他の実施形態を説明するための平面図である。
【図１８】背景技術の携帯型電子機器を示す平面図である。
【符号の説明】
【００４２】  １００：携帯型電子機器
１０２：筐体
１０３：開口
１０５：連結手段
１２０：表示部
１２１：表示部保護パネル
１２４Ａ，１２４Ｂ：凹部
１２５Ａ，１２５Ｂ，１２６Ａ，１２６Ｂ：回路配線
１２５Ｃ、１２６Ｃ：入力端子
１２８：化粧プリント
１３０，１３０’，１４０，１４０’：チップ状アクチュエータ
１３１，１３１’，１４１，１４１’：積層チップ
１３２，１３２’，１４２，１４２’：端子電極
１３３ａ〜１３３ｄ，１４３ａ〜１４３ｄ：内部電極
２００：携帯型電子機器
２０２：筐体
２０３：開口
２２０：表示部
２２１：表示部保護パネル
２２４Ａ，２２４Ｂ：凹部
２２８：化粧プリント
２３０：チップ状アクチュエータ
３００：携帯型電子機器
３０２：筐体
３０３：開口
３０５Ａ，３０５Ｂ：凹部
３２０：表示部
３２１：表示部保護パネル
３２４Ａ，３２４Ｂ：凹部
３２８：化粧プリント
４２１：表示部保護パネル
４２４Ａ，４２４Ｂ、４２４Ｃ、４２４Ｄ：凹部
４２５Ａ，４２５Ｂ，４２５Ｃ，４２５Ｄ：回路配線
４２５Ｅ：入力端子
４２６Ａ，４２６Ｂ、４２６Ｃ，４２６Ｄ：回路配線
４２６Ｅ：入力端子
５００：携帯型電子機器
５０２：筐体
５０３：開口
５０５：連結手段
５２０：表示部
５２１：表示部保護パネル
５２４Ａ，５２４Ｂ：凹部
５２５Ａ，５２５Ｂ，５２６Ａ，５２６Ｂ：回路配線
５２５Ｃ、５２６Ｃ：入力端子
５３０：チップ状アクチュエータ
６００Ａ〜６００Ｅ：携帯型電子機器
６０２Ａ〜６０２Ｅ：筐体
６０５Ａ〜６０５Ｅ：連結手段
６２０Ａ〜６２０Ｅ：表示部
６２１Ａ〜６２１Ｅ：表示部保護パネル
６３０Ａ〜６３０Ｅ：チップ状アクチュエータ
【図１】
2007208948.tif 000003
【図２】
2007208948.tif 000004
【図３】
2007208948.tif 000005
【図４】
2007208948.tif 000006
【図５】
2007208948.tif 000007
【図６】
2007208948.tif 000008
【図７】
2007208948.tif 000009
【図８】
2007208948.tif 000010
【図９】
2007208948.tif 000011
【図１０】
2007208948.tif 000012
【図１１】
2007208948.tif 000013
【図１２】
2007208948.tif 000014
【図１３】
2007208948.tif 000015
【図１４】
2007208948.tif 000016
【図１５】
2007208948.tif 000017
【図１６】
2007208948.tif 000018
【図１７】
2007208948.tif 000019
【図１８】
2007208948.tif 000020